(57)【要約】【課題】幼児等の操作によって光源が不用意に点灯してしまうことを抑制可能なプロジェクタを提供する。【解決手段】スタンバイ状態において電源キーの操作（オン操作）がなされると、制御部２０は、突出状態検知部２７からの検知信号に基づいて、２つの前方脚部がともに突出した状態であるか否かを判断する。そして、２つの前方脚部がともに突出した状態である場合には、制御部２０は、電源回路２５に指示をして動作電力の供給を開始させて、プロジェクタ１を電源オンの状態に移行させ、さらに、光源制御部２６に指示をして光源１１を点灯させる。この結果、画像信号入力部３１に入力される画像信号に応じた画像が画像投写部１０から投写される。一方、少なくとも１つの前方脚部が収納された状態である場合には、制御部２０は、スタンバイ状態のまま処理を終了する。【選択図】図７
2009134220.tif 000002
【特許請求の範囲】
【請求項１】
光源から射出された光を変調して投写する画像投写部と、
前記画像投写部を収容する筐体と、
前記筐体の底面側に突出して前記筐体を傾斜させる脚部と、
前記脚部の突出状態を調整するための突出状態調整部と、
前記脚部の突出状態を検知する突出状態検知部と、
前記光源を点灯させるためのオン操作、及び前記光源を消灯させるためのオフ操作を受け付ける電源操作部と、
前記電源操作部が前記オン操作を受け付けた際に、前記脚部の突出状態に応じて前記光源の点灯を許可又は禁止する制御部と、
を備えたことを特徴とするプロジェクタ。
【請求項２】
請求項１に記載のプロジェクタであって、
前記制御部は、前記脚部が突出量の最も小さい突出状態の場合に、前記光源の点灯を禁止することを特徴とするプロジェクタ。
【請求項３】
請求項１又は２に記載のプロジェクタであって、
前記電源操作部が前記オフ操作を受け付けた際、前記脚部を前記光源の点灯が禁止される突出状態に調整するように促す警告部をさらに備えたことを特徴とするプロジェクタ。
【請求項４】
請求項１又は２に記載のプロジェクタであって、
前記制御部は、前記電源操作部が前記オフ操作を受け付けた際、前記脚部の突出状態が、前記光源の点灯が禁止される突出状態である場合に前記光源を消灯させることを特徴とするプロジェクタ。
【請求項５】
請求項１〜４のいずれか１項に記載のプロジェクタであって、
複数の前記脚部を備え、
前記制御部は、前記電源操作部が前記オン操作を受け付けた際、前記複数の脚部の突出状態に応じて前記光源の点灯を許可又は禁止することを特徴とするプロジェクタ。
【発明の詳細な説明】
【技術分野】
【０００１】
本発明は、光源から射出された光を変調して投写するプロジェクタに関する。
【背景技術】
【０００２】
超高圧水銀ランプ等の光源から射出された光を変調して投写レンズからスクリーン等に投写するプロジェクタを家庭で使用する場合に、プロジェクタを幼児の手の届く位置に放置してしまうと、幼児が誤って電源を投入して光源を点灯させ、投写光を覗き見てしまう恐れがある。プロジェクタの投写光を直接覗き見てしまうと、激しい眩しさを感じ、一時的に視力が低下する症状が生じ得る。
特許文献１には、光源が不用意に点灯しないように、投写レンズを繰り出す操作を行うことによって電源スイッチをオンとするバッテリー駆動型の小型ビデオプロジェクタが提案されている。
【０００３】
【特許文献１】特開平６−１８６５２２号公報
【発明の開示】
【発明が解決しようとする課題】
【０００４】
しかしながら、特許文献１に記載のビデオプロジェクタは、バッグ等に収納した状態で電源スイッチが不用意にオンとなるのを防ぐには効果的であるが、投写レンズを繰り出す操作は、幼児にとっても簡単な操作であるため、幼児が投写光を覗き見てしまうことを防止することには有効ではない。
また、投写レンズの前面に開閉式のレンズカバーを備えたプロジェクタが存在するが、レンズカバーを閉め忘れたり、幼児がレンズカバーを開いてしまったりする恐れがある。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、光源から射出された光を変調して投写する画像投写部と、前記画像投写部を収容する筐体と、前記筐体の底面側に突出して前記筐体を傾斜させる脚部と、前記脚部の突出状態を調整するための突出状態調整部と、前記脚部の突出状態を検知する突出状態検知部と、前記光源を点灯させるためのオン操作、及び前記光源を消灯させるためのオフ操作を受け付ける電源操作部と、前記電源操作部が前記オン操作を受け付けた際に、前記脚部の突出状態に応じて前記光源の点灯を許可又は禁止する制御部と、を備えたことを特徴とする。
【０００７】
このプロジェクタによれば、電源操作部がオン操作された際、脚部の突出状態に応じて光源の点灯を許可又は禁止する構成であるため、光源を点灯させるためには脚部の突出状態を調整する必要がある。このため、例えば、スイッチ等の簡単な操作のみで光源が点灯してしまうことがなくなり、幼児等の操作によって光源が不用意に点灯してしまうことを抑制することが可能となる。
【０００８】
［適用例２］上記適用例に係るプロジェクタにおいて、前記制御部は、前記脚部が突出量の最も小さい突出状態の場合に、前記光源の点灯を禁止することが望ましい。
【０００９】
このプロジェクタによれば、脚部の突出量が最も小さい場合に光源の点灯が禁止になるため、光源を点灯させるためには、脚部の突出量を大きくする必要がある。プロジェクタが未使用の状態、即ち光源が消灯している状態では、脚部は突出量が最も小さくなるように調整されている場合が多いため、幼児等の操作によって光源が不用意に点灯してしまうことを一層抑制することが可能となる。
【００１０】
［適用例３］上記適用例に係るプロジェクタにおいて、前記電源操作部が前記オフ操作を受け付けた際、前記脚部を前記光源の点灯が禁止される突出状態に調整するように促す警告部をさらに備えることが望ましい。
【００１１】
このプロジェクタによれば、電源操作部がオフ操作を受け付けた際に、警告部が、脚部を光源の点灯が禁止される突出状態に調整するように促すため、次回オン操作を行う際に、脚部を調整することなく光源が点灯してしまう事態を抑制することが可能となる。
【００１２】
［適用例４］上記適用例に係るプロジェクタにおいて、前記制御部は、前記電源操作部が前記オフ操作を受け付けた際、前記脚部の突出状態が、前記光源の点灯が禁止される突出状態である場合に前記光源を消灯させることが望ましい。
【００１３】
このプロジェクタによれば、電源操作部がオフ操作を受け付けた際、脚部の突出状態が、光源の点灯が禁止される突出状態である場合に光源を消灯させる構成であるため、次回オン操作を行う際に、脚部を調整することなく光源が点灯してしまう事態を一層抑制することが可能となる。
【００１４】
［適用例５］上記適用例に係るプロジェクタにおいて、複数の前記脚部を備え、前記制御部は、前記電源操作部が前記オン操作を受け付けた際、前記複数の脚部の突出状態に応じて前記光源の点灯を許可又は禁止することが望ましい。
【００１５】
このプロジェクタによれば、脚部を複数備えており、光源を点灯させるためには複数の脚部の突出状態を調整する必要があるため、幼児等の操作によって光源が不用意に点灯してしまうことを一層抑制することが可能となる。
【発明を実施するための最良の形態】
【００１６】
（第１実施形態）
以下、第１実施形態に係るプロジェクタについて、図面を参照して説明する。プロジェクタは、光源から射出された光を、外部から入力される画像信号に応じて変調して画像光を形成し、この画像光をスクリーン等に拡大投写して画像信号に応じた画像を表示する光学装置である。
【００１７】
図１及び図２は、本実施形態のプロジェクタを示す斜視図であり、図１は、上面側から見た図、図２は、底面側から見た図である。また、図３（ａ）、（ｂ）は、プロジェクタが画像を投写する様子を示す側面図である。
【００１８】
図１に示すように、プロジェクタ１は、装置本体が筐体２で囲まれた構成を有しており、筐体２の前面２ｆには、外部のスクリーン等に画像（画像光）を投写する投写レンズ１３が露出している。また、筐体２の上面２ｔには、ユーザにより入力操作が行われる操作パネル２２が設けられ、操作パネル２２の近傍には、プロジェクタ１の動作状態を報知するためのＬＥＤ表示部２８が備えられている。なお、これ以降、筐体２の前面２ｆ側の方向を「前方」、その反対方向を「後方」と呼ぶ。また、「右側」及び「左側」は、それぞれ前面２ｆに向かって右側、左側を示すものとする。
【００１９】
図２に示すように、筐体２の底面２ｂには、前方側の左右両側に前方脚部３、後方側の略中央に後方脚部４がそれぞれ備えられており、プロジェクタ１を机上等の設置面に設置した状態では、プロジェクタ１は、これら３つの脚部（前方脚部３及び後方脚部４）で支持される（図３（ａ）参照）。このうち、２つの前方脚部３は、底面２ｂから下側に向かって突出可能になっており、前方脚部３を突出させることによって筐体２を傾斜させた状態で設置することが可能になっている（図３（ｂ）参照）。前方脚部３を突出させて筐体２を傾けると、画像は、より高い位置に投写されることになり、大勢で画像を見るのに適した状態となる。図１及び図２に示すように、筐体２の左右の側面２ｓ，２ｒには、前方脚部３の近傍に凹部５が形成されており、凹部５には、前方脚部３の突出状態（突出量）を調整するためのフットレバー６が設けられている。
【００２０】
図４〜図６は、前方脚部３の周辺構造を前方から見た部分断面図であり、図４は、前方脚部３の突出量を最小にした状態（これ以降、「前方脚部３を収納した状態」ともいう。）を示す図、図５は、前方脚部３の突出量を調整している状態を示す図、図６は、前方脚部３の突出量を最大にした状態を示す図である。なお、これらの図では、一方（左側）の前方脚部３のみを示しているが、他方（右側）の前方脚部３については、これと略同一（左右対称）の構造であるため、図示及び説明を省略する。
【００２１】
図４〜図６に示すように、前方脚部３は、柱状の脚部本体３ａと、脚部本体３ａの一端（下端）に設けられて設置面と当接する下端部３ｂと、脚部本体３ａの他端（上端）に設けられた上端部３ｃとを有して構成され、これらは一体的に結合されている。脚部本体３ａは、筐体２の底面２ｂに形成された孔部２ｈに摺動可能に挿通されており、筐体２の底面２ｂに対して略垂直な姿勢で備えられている。脚部本体３ａには、最寄りの筐体側面（側面２ｓ）を臨む面に、鋸歯状の係合部３ｄが形成されている。係合部３ｄには、前後方向に沿って形成された多数の溝が、上下方向に略等間隔で配列されている。また、下端部３ｂ及び上端部３ｃは、脚部本体３ａよりも幅広になっており、孔部２ｈを挿通不能になっている。このため、前方脚部３は、孔部２ｈを囲う側壁２ｗの下端、即ち底面２ｂに下端部３ｂが当接する位置（図４参照）と、側壁２ｗの上端に上端部３ｃが当接する位置（図６参照）との間を摺動できるようになっている。
【００２２】
フットレバー６は、前方脚部３の係合部３ｄ側（左側）に配置された略Ｌ字状の部材であり、前方脚部３の近傍から左側に向かって延出して凹部５から露出する操作部６ａと、前方脚部３に沿って下方向に延出する係止部６ｂとを有している。また、操作部６ａと係止部６ｂとが交わる位置には、前方及び後方に突出する軸６ｃが形成されている。
【００２３】
軸６ｃは、筐体２によって軸支されており（図示せず）、フットレバー６は、軸６ｃを中心にして回動可能になっている。係止部６ｂには、前方脚部３に対向する面の下部に、鋸歯状の係合部６ｄが形成されている。係合部６ｄには、前後方向に沿って形成された複数の溝が、上下方向に略等間隔で配列されており、前方脚部３の係合部３ｄと噛合（係合）可能になっている。係止部６ｂは、コイルバネ７によって前方脚部３側に付勢されており、操作部６ａを操作していない状態（開放した状態）では、フットレバー６の係合部６ｄは、前方脚部３の係合部３ｄと噛合して前方脚部３の摺動を規制する（図４及び図６参照）。ここで、ユーザが操作部６ａの先端を持ち上げる操作を行うと、フットレバー６は、コイルバネ７を圧縮させる方向に回動する。この結果、係合部６ｄの噛合は解除され、前方脚部３は摺動可能な状態となる（図５参照）。この状態でユーザが前方脚部３を所望の突出量だけ突出させ、その後に操作部６ａを開放すると、係合部６ｄは、再びコイルバネ７の付勢によって脚部本体３ａの係合部３ｄと噛合し、前方脚部３の摺動を規制する状態に戻る。
【００２４】
筐体２の内部には、回路基板８の下面に搭載された押圧スイッチ９が前方脚部３の上方に配置されている。押圧スイッチ９は、上向きに押圧が可能なボタン９ａを備えており、ボタン９ａは、押圧スイッチ９の内部に備わる図示しないバネによって常に下方に付勢されてる。図４に示すように、前方脚部３を収納した状態、即ち前方脚部３の下端部３ｂを筐体２の底面２ｂに当接させて前方脚部３の突出量を最小とした状態のときには、押圧スイッチ９のボタン９ａは、前方脚部３の上端部３ｃによって上向きに押圧されるようになっており、このとき、押圧スイッチ９はオンの状態となる。また、図５及び図６に示すように、前方脚部３を突出させて脚部本体３ａを底面２ｂから露出させた状態にすると、ボタン９ａは、バネの付勢によって下方に突出し、このときの押圧スイッチ９はオフの状態となる。このため、プロジェクタ１は、押圧スイッチ９の状態（オン又はオフ）によって前方脚部３が収納された状態であるか突出した状態であるかを認識することが可能になっている。
【００２５】
なお、前述したように、２つの前方脚部３のうち、他方の前方脚部３の周辺も略同一の構造を有しているため、筐体２の内部には、２つの押圧スイッチ９が備わっていることになる。筐体２を傾けた状態で安定させるためには、双方の前方脚部３を突出させる必要があることから、この状態では、２つの押圧スイッチ９はともにオフの状態となる。
【００２６】
次に、プロジェクタ１の回路構成について説明する。
図７は、プロジェクタ１の回路構成を示すブロック図である。
図７に示すように、プロジェクタ１は、画像投写部１０、制御部２０、記憶部２１、操作パネル２２、リモコン２３、操作信号受信部２４、電源回路２５、光源制御部２６、突出状態検知部２７、ＬＥＤ表示部２８、画像信号入力部３１、画像処理部３２、ＯＳＤ処理部３３等で構成され、これらは筐体２に収容されている。
【００２７】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素（図示せず）が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００３０】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００３１】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００３２】
操作パネル２２及びリモコン２３は、ユーザからの入力操作を受け付ける入力操作部に相当するものであり、ユーザがプロジェクタ１に対して各種指示を行うための複数の操作キーを備えている。操作パネル２２及びリモコン２３が備える操作キーとしては、電源のオン・オフを交互に切り替えるための「電源キー」や、各種設定を行うための設定メニューを重畳表示させる「メニューキー」等がある。ユーザが操作パネル２２の各種操作キーを操作すると、操作パネル２２は、ユーザの操作内容（操作された操作キー）に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００３３】
電源回路２５には、外部からＡＣ１００Ｖ等の商用電源が供給される。電源回路２５は、商用電源（交流電源）を所定の電圧の直流電源に変換するとともに、プロジェクタ１の各部に電力を供給する。なお、制御部２０は、電源回路２５から電力の供給を受けて動作している間、電源回路２５に指示をして、画像の投写に必要な電力（動作電力）を供給する状態と、動作電力の供給を停止した状態とを切り替えさせることができる。
【００３４】
光源制御部２６は、制御部２０の指示に基づいて、光源１１に対する電力の供給と停止とを制御し、光源１１の点灯及び消灯を切り替える。
【００３５】
突出状態検知部２７は、上述した２つの押圧スイッチ９等で構成され、２つの押圧スイッチ９のオン・オフによって前方脚部３の突出状態、即ち前方脚部３が収納された状態であるか突出した状態であるかを検知し、その検知結果を示す検知信号を制御部２０に出力する。
【００３６】
ＬＥＤ表示部２８は、ＬＥＤ（発光ダイオード）を備えたインジケータであり、制御部２０の指示に基づいてその表示状態を切り替えることにより、ユーザにプロジェクタ１の動作状態（電源のオン・オフや異常発生等）を報知する。なお、ＬＥＤ表示部２８は、その表示状態、即ち点灯、点滅、消灯、発光色等を適宜切り替えることによって、多数の動作状態を表すことが可能になっている。
【００３７】
画像信号入力部３１には、パーソナルコンピュータやＤＶＤ（Digital Versatile Disc）再生装置等、図示しない外部の画像出力装置とケーブルを介した接続を行うための接続端子（図示せず）が備えられており、画像出力装置から各種形式の画像信号が入力される。画像信号入力部３１は、入力された画像信号を画像処理部３２に出力する。
【００３８】
画像処理部３２は、画像信号入力部３１から入力される各種形式の画像信号を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。さらに、画像処理部３２は、制御部２０の指示に基づいて、変換した画像情報に対して、明るさ、コントラスト、シャープネス、色合い等を調整するための画質調整処理等を行い、処理後の画像情報をＯＳＤ処理部３３に出力する。
【００３９】
ＯＳＤ処理部３３は、制御部２０の指示に基づいて、メニュー画像やメッセージ画像等のＯＳＤ（オンスクリーンディスプレイ）画像を、入力画像（画像信号に基づく画像）上に重畳して表示するための処理を行う。ＯＳＤ処理部３３は、図示しないＯＳＤメモリを備えており、ＯＳＤ画像を形成するための図形やフォント等を表すＯＳＤ画像情報を記憶している。制御部２０がＯＳＤ画像の重畳を指示すると、ＯＳＤ処理部３３は、必要なＯＳＤ画像情報をＯＳＤメモリから読み出し、入力画像の所定の位置にＯＳＤ画像が重畳されるように、画像処理部３２から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部３３は、画像処理部３２から入力される画像情報を、そのままライトバルブ駆動部１４に出力する。
【００４０】
ライトバルブ駆動部１４が、ＯＳＤ処理部３３から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。
【００４１】
次に、本実施形態のプロジェクタ１の動作について説明する。
プロジェクタ１に商用電源が供給されると、電源回路２５は、制御部２０、記憶部２１、操作パネル２２、操作信号受信部２４、ＬＥＤ表示部２８に電力（スタンバイ電力）の供給を行い、制御部２０は、この電力供給を受けて、制御プログラムに従った動作を開始する。商用電源が供給された直後には、プロジェクタ１は、スタンバイ状態（電源オフの状態ともいう。）であり、この状態では、制御部２０は、ＬＥＤ表示部２８を所定の色（本実施形態では、オレンジ色）で点灯させるとともに、操作パネル２２やリモコン２３の電源キーに対する操作（オン操作）を監視する。この状態でユーザが電源キーを操作すると、プロジェクタ１の各部には動作電力が供給され、画像の投写が可能な状態（電源オンの状態ともいう。）に移行する。ただし、本実施形態のプロジェクタ１は、２つの前方脚部３がともに突出した状態（押圧スイッチ９がオフの状態）でオン操作がなされた場合にのみ、電源オンの状態に移行するようになっている。
【００４２】
図８は、スタンバイ状態において電源キーが操作された場合、即ちオン操作がなされた場合のプロジェクタ１の動作を説明するためのフローチャートである。スタンバイ状態において電源キーの操作がなされると、制御部２０は、図８に示すフローに従って動作する。
【００４３】
図８に示すように、ステップＳ１０１では、制御部２０は、突出状態検知部２７からの検知信号に基づいて、２つの前方脚部３がともに突出した状態であるか否かを判断する。そして、２つの前方脚部３がともに突出した状態である場合、即ち２つの押圧スイッチ９がともにオフの状態である場合にはステップＳ１０２に移行し、少なくとも１つの前方脚部３が収納された状態、即ち少なくとも１つの押圧スイッチ９がオンの状態である場合にはステップＳ１０５に移行する。
【００４４】
前方脚部３が２つとも突出した状態でオン操作がなされ、ステップＳ１０２に移行した場合には、制御部２０は、電源回路２５に指示をして動作電力の供給を開始させ、プロジェクタ１を電源オンの状態に移行させる。その後、ステップＳ１０３では、制御部２０は、ＬＥＤ表示部２８の表示状態を緑色で点灯する状態に変更し、プロジェクタ１が電源オンの状態に移行した旨を報知する。続くステップＳ１０４では、制御部２０は、光源制御部２６に指示をして光源１１を点灯させるとともに、他の必要な初期動作を行ってフローを終了する。つまり、制御部２０は、２つの前方脚部３がともに突出した状態では、ユーザによるオン操作を有効として、電源オンの状態への移行、即ち光源１１が点灯する状態への移行を許可する。この結果、画像信号入力部３１に入力される画像信号に応じた画像が画像投写部１０から投写される。
【００４５】
一方、少なくとも１つの前方脚部３が収納された状態でオン操作がなされ、ステップＳ１０５に移行した場合には、制御部２０は、ＬＥＤ表示部２８の表示状態をオレンジ色で点滅する状態として、前方脚部３が収納された状態である旨をユーザに報知する。制御部２０は、ＬＥＤ表示部２８を所定時間（数秒程度）点滅させた後、続くステップＳ１０６において、その表示状態をオレンジ色で点灯する状態に戻し、スタンバイ状態のままフローを終了する。つまり、制御部２０は、少なくとも１つの前方脚部３が収納された状態では、ユーザによるオン操作を無効として、電源オンの状態への移行、即ち光源１１が点灯する状態への移行を禁止する。
【００４６】
本実施形態のプロジェクタ１は、上記のように動作するため、少なくとも１つの前方脚部３が収納された状態では、電源キーの操作（オン操作）のみで電源オンの状態に移行しないようになっている。プロジェクタ１を電源がオンの状態にするためには、ユーザは、フットレバー６を操作して２つの前方脚部３を突出させ、その後で電源キーを操作する必要がある。なお、前方脚部３を収納した状態で画像を投写させたい場合（図３（ａ）参照）には、前方脚部３を突出させた状態でオン操作を行い、電源オンの状態に移行した後で前方脚部３を収納させればよい。
【００４７】
また、電源がオンの状態でユーザにより電源キーの操作（オフ操作）がなされると、プロジェクタ１は、次回のオン操作時に電源キーの操作のみで電源オンの状態とならないように、前方脚部３の収納を促す注意メッセージを表示して、その後でスタンバイ状態に移行するようになっている。
【００４８】
図９は、電源オンの状態において電源キーが操作された場合、即ちオフ操作がなされた場合のプロジェクタ１の動作を説明するためのフローチャートであり、図１０は、オフ操作がなされた場合のプロジェクタ１の動作を説明する説明図である。電源オンの状態で電源キーの操作がなされると、制御部２０は、図９に示すフローに従って動作する。
【００４９】
図９に示すように、ステップＳ２０１では、制御部２０は、ＯＳＤ処理部３３に指示をして、ＯＳＤ画像である注意メッセージＭ１（例えば、「ご使用後は、脚部を収納してください」）を入力画像Ｐ上に重畳表示させる（図１０参照）。制御部２０は、この注意メッセージＭ１を所定時間（例えば、５秒）表示させた後、ステップＳ２０２に移行する。
【００５０】
ステップＳ２０２では、制御部２０は、光源制御部２６に指示をして光源１１を消灯させるとともに他の必要な終了動作を行い、続くステップＳ２０３では、ＬＥＤ表示部２８の表示状態をオレンジ色で点灯する状態（スタンバイ状態を示す状態）とする。その後、ステップＳ２０４では、制御部２０は、電源回路２５に指示をして動作電力の供給を停止させ、プロジェクタ１をスタンバイ状態に移行させてフローを終了する。
【００５１】
以上説明したように、本実施形態のプロジェクタ１によれば、以下の効果を得ることができる。
【００５２】
（１）本実施形態のプロジェクタ１は、ユーザによりオン操作がなされた際に、前方脚部３の突出状態に応じて、電源オンの状態への移行、即ち光源１１が点灯する状態への移行を許可又は禁止するようにしているため、電源をオンにして光源１１を点灯させるためには、前方脚部３の突出状態を調整する必要がある。このため、電源キーの操作のみで光源１１が点灯してしまうことが抑制され、幼児等の操作によって光源１１が不用意に点灯してしまうことを抑制することが可能となる。
【００５３】
（２）本実施形態のプロジェクタ１は、前方脚部３が収納された状態、即ち前方脚部３の突出量が最も小さい状態でオン操作がなされた場合に、光源１１の点灯を禁止するようにしているため、光源１１を点灯させるためには、前方脚部３を突出させた状態でオン操作を行う必要がある。プロジェクタ１が未使用の状態、即ち光源１１が消灯している状態では、前方脚部３は収納されている場合が多いため、幼児等の操作によって光源１１が不用意に点灯してしまうことを一層抑制することが可能となる。
【００５４】
（３）本実施形態のプロジェクタ１は、ユーザによりオフ操作がなされた際、次回のオン操作時に電源キーの操作のみで電源がオンの状態とならないように、注意メッセージＭ１によって前方脚部３の収納を促すようにしているため、幼児等の操作によって光源１１が不用意に点灯してしまうことを一層抑制することが可能となる。
【００５５】
（４）本実施形態のプロジェクタ１は、前方脚部３を複数（２つ）備えており、光源１１を点灯させるためには、すべての前方脚部３を突出した状態に調整する必要があるため、前方脚部３が１つのみの場合に比べて、幼児等の操作によって光源１１が不用意に点灯してしまうことを一層抑制することが可能となる。
【００５６】
（第２実施形態）
以下、第２実施形態に係るプロジェクタについて、図面を参照して説明する。上記第１実施形態では、電源オンの状態で電源キーの操作（オフ操作）がなされた場合に、前方脚部３の収納を促す注意メッセージＭ１を所定時間表示した後でスタンバイ状態に移行するようになっていたが、本実施形態では、２つの前方脚部３が収納された状態で電源キーが操作された場合にのみスタンバイ状態に移行するようになっている。これ以外の構成及び動作については、上記第１実施形態と同一である。
【００５７】
図１１は、電源オンの状態において電源キーが操作された場合、即ちオフ操作がなされた場合のプロジェクタ１の動作を説明するためのフローチャートであり、図１２は、オフ操作がなされた場合のプロジェクタ１の動作を説明する説明図である。電源オンの状態で電源キーの操作がなされると、制御部２０は、図１１に示すフローに従って動作する。
【００５８】
図１１に示すように、ステップＳ３０１では、制御部２０は、突出状態検知部２７からの検知信号に基づいて、２つの前方脚部３がともに収納された状態であるか否かを判断する。そして、２つの前方脚部３がともに収納された状態である場合、即ち２つの押圧スイッチ９がともにオンの状態である場合にはステップＳ３０２に移行し、少なくとも１つの前方脚部３が突出した状態、即ち少なくとも１つの押圧スイッチ９がオフの状態である場合にはステップＳ３０５に移行する。
【００５９】
前方脚部３が２つとも収納された状態で電源キーが操作され、ステップＳ３０２に移行した場合には、制御部２０は、光源制御部２６に指示をして光源１１を消灯させるとともに他の必要な終了動作を行い、続くステップＳ３０３では、ＬＥＤ表示部２８の表示状態をオレンジ色で点灯する状態（スタンバイ状態を示す状態）とする。その後、ステップＳ３０４では、制御部２０は、電源回路２５に指示をして動作電力の供給を停止させ、プロジェクタ１をスタンバイ状態に移行させてフローを終了する。
【００６０】
一方、少なくとも１つの前方脚部３が突出した状態で電源キーが操作され、ステップＳ３０５に移行した場合には、制御部２０は、ＯＳＤ処理部３３に指示をして、ＯＳＤ画像である注意メッセージＭ２（例えば、「電源をオフにするためには、脚部を収納した状態で再度電源キーを押してください」）を入力画像Ｐ上に重畳表示させる（図１２参照）。制御部２０は、この注意メッセージＭ２を所定時間（例えば、５秒）表示させた後、電源オンの状態のままフローを終了する。
【００６１】
本実施形態のプロジェクタ１は、上記のように動作するため、少なくとも１つの前方脚部３が突出した状態では、電源キーの操作（オフ操作）のみで電源オフの状態に移行しないようになっている。プロジェクタ１を電源オフの状態にするためには、ユーザは、フットレバー６を操作して２つの前方脚部３を収納し、その後で電源キーを操作する必要がある。
【００６２】
以上説明したように、本実施形態のプロジェクタ１によれば、上記第１実施形態の効果に加えて、以下の効果を得ることができる。
【００６３】
（１）本実施形態のプロジェクタ１は、ユーザによりオフ操作がなされた際、２つの前方脚部３がともに収納された状態の場合、即ち２つの前方脚部３の突出状態が、光源１１の点灯が禁止される突出状態の場合に、光源１１を消灯させてスタンバイ状態に移行する構成になっている。言い換えれば、２つの前方脚部３がともに突出した状態の場合、即ち２つの前方脚部３の突出状態が、光源１１の点灯が許可される突出状態の場合にはスタンバイ状態に移行することができないようになっている。このため、次回オン操作を行う際に、前方脚部３の突出状態を調整することなく光源１１が点灯してしまう事態を抑制することが可能となる。なお、本実施形態では、２つの前方脚部３がともに収納された状態の場合にのみスタンバイ状態に移行できるようになっているが、１つの前方脚部３のみが収納された状態であっても、次回のオン操作時に電源キーの操作のみで電源オンの状態に移行することはないため、少なくとも１つの前方脚部３が収納された状態の場合にスタンバイ状態に移行できるようにしてもよい。
【００６４】
なお、上記第１及び第２実施形態では、前方脚部３の突出状態を調整するためのフットレバー６が突出状態調整部に相当し、電源キーを備えた操作パネル２２及びリモコン２３が電源操作部に相当する。また、注意メッセージＭ１，Ｍ２を表示する際の制御部２０及びＯＳＤ処理部３３が警告部に相当する。
【００６５】
（変形例）
また、上記第１及び第２実施形態は、以下のように変更してもよい。
【００６６】
上記第１及び第２実施形態では、２つの前方脚部３がともに突出した状態、即ち前方脚部３の突出量が最小ではない状態でオン操作がなされた場合に、電源オンの状態に移行するようになっているが、電源をオンにすることが可能な前方脚部３の突出量は前記に限定されない。例えば、２つの前方脚部３の突出量が最大の状態でオン操作がなされた場合にのみ、電源オンの状態に移行するようにしてもよい。
なお、前方脚部３の突出量が最大の状態を検知するためには、例えば、図１３（ａ）、（ｂ）に示すように、前方脚部３が最も突出した状態のときに、上端部３ｃの下面によってボタン９ａが下向きに押圧されるように押圧スイッチ９を配置すればよい。
【００６７】
上記第１及び第２実施形態では、２つの前方脚部３を備えた構成を示しているが、前方脚部３の数は複数に限られず、１つであってもよい。
【００６８】
上記第１及び第２実施形態では、前方脚部３が突出した状態であるか否かを押圧スイッチ９によって検知する構成を示しているが、押圧スイッチ９以外の接触型の検知手段を用いてもよいし、光センサや磁気センサ等の非接触型の検知手段を用いるようにしてもよい。
【００６９】
上記第１及び第２実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出した光を変調する微小ミラーアレイデバイス等を用いることもできる。
【００７０】
上記第１及び第２実施形態では、光源１１は、放電型の光源ランプ１１ａによって構成されているが、ＬＥＤ光源等の固体光源や、その他の光源を用いることもできる。
【図面の簡単な説明】
【００７１】
【図１】第１実施形態に係るプロジェクタを上面側から見た斜視図。
【図２】第１実施形態に係るプロジェクタを底面側から見た斜視図。
【図３】（ａ）、（ｂ）は、第１実施形態に係るプロジェクタが画像を投写する様子を示す側面図。
【図４】第１実施形態に係るプロジェクタの前方脚部の周辺構造を前方から見た部分断面図であり、前方脚部の突出量を最小にした状態を示す図。
【図５】第１実施形態に係るプロジェクタの前方脚部の周辺構造を前方から見た部分断面図であり、前方脚部の突出量を調整している状態を示す図
【図６】第１実施形態に係るプロジェクタの前方脚部の周辺構造を前方から見た部分断面図であり、前方脚部の突出量を最大にした状態を示す図。
【図７】第１実施形態に係るプロジェクタの回路構成を示すブロック図。
【図８】第１実施形態に係るプロジェクタにおいてオン操作がなされた場合の動作を説明するためのフローチャート。
【図９】第１実施形態に係るプロジェクタにおいてオフ操作がなされた場合の動作を説明するためのフローチャート。
【図１０】第１実施形態に係るプロジェクタにおいてオフ操作がなされた場合の動作を説明する説明図。
【図１１】第２実施形態に係るプロジェクタにおいてオフ操作がなされた場合の動作を説明するためのフローチャート。
【図１２】第２実施形態に係るプロジェクタにおいてオフ操作がなされた場合の動作を説明する説明図。
【図１３】（ａ）、（ｂ）は、変形例に係るプロジェクタの前方脚部の周辺構造を前方から見た部分断面図であり、（ａ）は、前方脚部の突出量を調整している状態を示す図、（ｂ）は、前方脚部の突出量を最大にした状態を示す図。
【符号の説明】
【００７２】
１…プロジェクタ、２…筐体、２ｔ…上面、２ｆ…前面、２ｂ…底面、２ｓ，２ｒ…側面、３…前方脚部、３ａ…脚部本体、３ｂ…下端部、３ｃ…上端部、３ｄ…係合部、４…後方脚部、５…凹部、６…フットレバー、６ａ…操作部、６ｂ…係止部、６ｃ…軸、６ｄ…係合部、７…コイルバネ、９…押圧スイッチ、９ａ…ボタン、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…操作信号受信部、２５…電源回路、２６…光源制御部、２７…突出状態検知部、２８…ＬＥＤ表示部、３１…画像信号入力部、３２…画像処理部、３３…ＯＳＤ処理部、Ｍ１…注意メッセージ、ＳＣ…スクリーン。
【図１】
2009134220.tif 000003
【図２】
2009134220.tif 000004
【図３】
2009134220.tif 000005
【図４】
2009134220.tif 000006
【図５】
2009134220.tif 000007
【図６】
2009134220.tif 000008
【図７】
2009134220.tif 000009
【図８】
2009134220.tif 000010
【図９】
2009134220.tif 000011
【図１０】
2009134220.tif 000012
【図１１】
2009134220.tif 000013
【図１２】
2009134220.tif 000014
【図１３】
2009134220.tif 000015